(57)【要約】      （修正有）【課題】ミシン目等の切断誘導線によって確実に開封のための破断が行なわれるようにした段ボール箱を提供する。【解決手段】開封部位に形成される一対の切断誘導線５５、５７の中間位置であって両切断誘導線からほぼ等しい位置に、第３の切断誘導線５６を形成し、一方の切断誘導線５５または５７から斜めの切断線６６が生じても、この切断線６６が中間の切断誘導線５６のところで停止するようにし、これによって切断誘導線５５、５７間の部分の段ボールシートが完全に除去されるようにする。【選択図】図８
0003137593.tif 000002
【実用新案登録請求の範囲】
【請求項１】
切断開封位置に互いに平行な一対の切断誘導線を形成し、該切断誘導線間の段ボールシートを切断して開封するようにした段ボール箱において、
前記一対の切断誘導線間にさらに切断誘導線を形成したことを特徴とする段ボール箱。
【請求項２】
前記さらに形成される切断誘導線が前記一対の切断誘導線と平行であることを特徴とする請求項１に記載の段ボール箱。
【請求項３】
前記さらに形成される切断誘導線が両側の一対の切断誘導線の中間に形成される切断誘導線であることを特徴とする請求項１または請求項２に記載の段ボール箱。
【請求項４】
前記一対の切断誘導線およびさらに形成される切断誘導線がミシン目であることを特徴とする請求項１〜３の何れかに記載の段ボール箱。
【請求項５】
飲料缶を収納することを特徴とする請求項１〜４の何れかに記載の段ボール箱。
【考案の詳細な説明】
【技術分野】
【０００１】
本考案は段ボール箱に係り、とくに切断開封位置に切断誘導線を形成し、該切断誘導線によって段ボールシートを切断して開封するようにした段ボール箱に関する。
【背景技術】
【０００２】
例えば特開２００３−３２７２３９号公報や、特開２００５−１７８７８８号公報に開示されているように、缶ビール等の飲料缶を物流に供するために、従来より段ボール箱が広く用いられている。このような段ボール箱は、その切断開封位置に、ミシン目から成る切断誘導部を形成しておき、この切断誘導部のところで段ボールシートを破断することによって開封を行なうようにしている。このような開封形態は、蓋の糊付け部分を剥離して開封する場合に比べて、開封の作業性に優れる。また蓋を強固に接着固定しても、とくに支障がない。
【０００３】
図１および図２は従来のこのような缶ビール用段ボール箱の構成を示しており、この段ボール箱は、図１に示す段ボールシートから組立てられる。段ボールシートは天板１１、底板１２、側板１３、１４、および天板１１側の蓋板１５、１６、底板１２側の蓋板１７、１８を備えている。また側板１３、１４にはそれぞれフラップ１９、２０および２１、２２が連設される。そして側板１４の端部には接合片２３が連設されている。
【０００４】
このような段ボールシートは、接合片２３を反対側の天板１１の端部の内側に糊付けするようにしている。また筒状に組立てられた後に、両端の開口をフラップ１９、２０、２１、２２によって閉じるとともに、両側から蓋板１５〜１８によって閉塞するようにしており、これによって図２に示すような扁平な直方体状をなす段ボール箱が組立てられる。このような段ボール箱には、飲料缶を配列して収納できるようなる。
【０００５】
このような段ボール箱の、側板１３、１４にはそれぞれ互いに平行な一対の切断誘導線２７および２８がそれぞれ形成され、これらの切断誘導線２７、２８のほぼ中央部において切込み２９、３０が形成されている。従って切込み２９、３０のところで切断誘導線２７、２８の中間位置をつまむようにして開封を行なうことによって、この包装箱が開封される。
【０００６】
ところが実際には、このような破断による開封を行なう包装箱において、必ずしも円滑な開封が行なわれない欠点がある。すなわち図３に示すように、この段ボールの内側であって裏側のライナーが図３に示すように一対の切断誘導線２７間において切断線３２のところで破断すると、段ボールシートの切断誘導線２７間の部分が完全に破断し、開封機能を喪失する。すなわち切断誘導線２７に沿っての開封途中で、裏側であって内側のライナーが斜めの切断線３２のところで破断するために、切断誘導線２７による開封機能が上手く作用せず、開封に障害が発生する問題があった。
【０００７】
特開２００３−３２７２３９号公報の段ボール箱は、外周壁面の裏ライナーに二本のライナーカット線又はカットテープによる切裂帯を設け、その壁面に形成した切出部から切裂帯を引いて開封する段ボール箱において、切裂帯に沿って、表ライナーの表面側から打抜による半切ミシン目状の破止線をいれ、切出部から切裂帯を引っ張ると、表ライナーが破止線の位置で切断され、段ボールの表層剥離が防止されるようにしている。
【０００８】
このような構成は、段ボールシートの裏ライナーあるいは内側のライナーではなく、反対側の表側のライナーの剥離による破断後における醜い外観を防止するためであって、内側であって裏側のライナーの部分における図３に示す切断線３２における切断による開封不良を防止することができない。
【特許文献１】特開２００３−３２７２３９号公報
【特許文献２】特開２００５−１７８７８８号公報
【考案の開示】
【考案が解決しようとする課題】
【０００９】
本願考案の課題は、開封動作が円滑に行なわれるようにした段ボール箱を提供することである。
【００１０】
本願考案の別の課題は、ミシン目等の切断誘導線によって確実に開封のための破断が行なわれるようにした段ボール箱を提供することである。
【００１１】
本願考案のさらに別の課題は、切断誘導線間において、内側であって裏ライナーの部分の切断による開封の障害が回避されるようにした段ボール箱を提供することである。
【００１２】
本願考案のさらに別の課題は、一対の切断誘導線間の部分で段ボールシートを破断除去し、これによって開封を行なう場合に、内側であって裏ライナーが途中で切断されて開封動作が阻害されるのを防止するようにした段ボール箱を提供することである。
【００１３】
本願考案のさらに別の課題は、一対の切断誘導線間の部分の段ボールシートを破断除去する際に、一対の切断誘導線間の部位に発生した切断線が両側の切断誘導線を連結するように延びることなく、これによって切断誘導線間が完全に切断されないようにした段ボール箱を提供することである。
【００１４】
本願考案の上記の課題および別の課題は、以下に述べる本願考案の技術的思想およびその実施の形態によって明らかにされる。
【課題を解決するための手段】
【００１５】
本願の主要な考案は、切断開封位置に互いに平行な一対の切断誘導線を形成し、該切断誘導線間の段ボールシートを切断して開封するようにした段ボール箱において、
前記一対の切断誘導線間にさらに切断誘導線を形成したことを特徴とする段ボール箱に関するものである。
【００１６】
ここで、前記さらに形成される切断誘導線が前記一対の切断誘導線と平行であってよい。また前記さらに形成される切断誘導線が両側の一対の切断誘導線の中間に形成される切断誘導線であってよい。また前記一対の切断誘導線およびさらに形成される切断誘導線がミシン目であってよい。また飲料缶を収納するようにしてよい。
【考案の効果】
【００１７】
本願の主要な考案は、切断開封位置に互いに平行な一対の切断誘導線を形成し、該切断誘導線間の段ボールシートを切断して開封するようにした段ボール箱において、一対の切断誘導線間にさらに切断誘導線を形成したものである。
【００１８】
従ってこのような段ボール箱によると、両側の一対の切断誘導線間の段ボールシートを破断除去して開封を行なう際に、この切断誘導線間の幅方向に延びる切断が生じた場合にも、このような切断はさらに形成された切断誘導線の部分で阻止され、このために両側の一対の切断誘導線間が完全に切断されることが防止され、このためにその位置で開封が停止することが回避される。
【考案を実施するための最良の形態】
【００１９】
以下本願考案を図示の実施の形態によって説明する。図４は本実施の形態の段ボール箱を組立てるための段ボールシートを示し、図５はこのような段ボールシートによって組立てられる包装箱を示している。図４の段ボールシート３５は、天板３６、側板３７、底板３８、側板３９、および接合片４０を備え、これらが互いに折曲げ線４１によって折曲げ可能に連結されている。
【００２０】
また上記天板３６の両側には、折曲げ線４４を介して上側の蓋板４５が連設されている。これに対して底板３８の両側には、折曲げ線４６を介して下側の蓋板４７が連設されている。また側板３７の両側には折曲げ線４８を介してフラップ４９が連設されている。また側板３９の両側には折曲げ線５０を介してフラップ５１が連設されている。
【００２１】
上記側板３７、３９には、互いに平行な３本の切断誘導線５５、５６、５７が形成されている。これらの切断誘導線５５、５６、５７はそれぞれミシン目から構成されている。また側板３７、３９の切断誘導線５５、５６、５７の中間位置には、それぞれ切込み５８が形成されている。
【００２２】
なおこのような段ボール箱を組立てる段ボールシート３５は、とくに図７に示すように、表ライナー６１と裏ライナー６２とを備え、これらの間にジクザグに屈曲した中芯６３を配した構造になっており、いわゆる段ボールを構成している。
【００２３】
次に以上のような構成になる段ボールシート（図４参照）を用いて、図５に示すような段ボール箱を組立てる動作を説明する。折曲げ線４１のところで天板３６、側板３７、底板３８、側板３９、接合片４０を順次折曲げるようにし、接合片４０を反対側の天板３６の端部であってその下面に糊付けして接合する。これによって段ボールシート３５で扁平な四角筒状の筒体が組立てられる。
【００２４】
このような段ボール箱内には、所定の数の、例えば缶ビールが充填される。そして両側の開口は、まず両側のフラップ４９、５１をそれぞれ折曲げ線４８、５０のところで折曲げるようにし、この後に上側の蓋板４５と下側の蓋板４７とをそれぞれ折曲げ線４４、４６のところで折曲げることによって、両側の開口が閉塞される。これによって図５に示すように、所定の数のビール缶を充填した段ボール箱が組立てられる。従ってこのような段ボール箱によって、ビール缶が物流に供されることになる。
【００２５】
このようなビール缶を開封する場合には、図５に示すように、側板３７、３９にそれぞれ形成されている３本の切断誘導線５５、５６、５７の内の、両側の切断誘導線５５、５７間の部分を破断除去する。すなわち切断誘導線５５、５７間を横切るように形成されている切込み５８の部分に指等を入れて切断誘導線５５、５７間の部分をつまんで引っ張ることによって、切断誘導線５５、５７に沿って破断を行なう。すると切断誘導線５５、５７間の部分の段ボールシートが除去されるために、図６に示すように、この段ボール箱は上下に分割されるようになる。従って、例えば上側の天板３６側の部分が底板３８が形成されている下半分から分離され、これによって開封が行なわれる。
【００２６】
ところが実際には、このような切断誘導線５５、５７間の部分を破断して開封を行なう途中で、切断誘導線５５、５７間の部分であって内側に位置する裏ライナー６２が斜めに切断線６６（図８参照）のところで切断されることによって、開封が妨げられる問題がある。すなわち切断誘導線５５、５７間の部位における裏側のライナー６２の斜めの切断によって、切断誘導線５５、５７間が完全に分離除去されないという問題がある。
【００２７】
ところが本実施の形態においては、切断誘導線５５、５７の中間位置に、切断誘導線５６を設けている。従って図８に示すように、切断線６６に沿って裏ライナー６２が破断しても、この切断線６６は中間の切断誘導線５６のところで停止し、両側の切断誘導線５５、５７を連結するように切断線６６が延びて切断されることがない。すなわち従来は完全切断によって両側の切断誘導線５５、５７間が切断されていたのが、中間の切断誘導線５６によって切断が停止することになり、切断誘導線５５、５７間の部分における段ボールシートの切断が回避されるために、さらに切断誘導線５５、５７間に沿って破断し、これによってほぼ完全な開封を達成することが可能になる。すなわち切断誘導線５５、５７による開封機能が中間の切断誘導線５６によって維持されることになる。
【００２８】
なお本実施の形態においては、一対の切断誘導線５５、５７間の寸法を１４ｍｍとし、中間の切断誘導線５６と両側の切断誘導線５５、５７との間の寸法を７ｍｍとしている。一般に両側の切断誘導線５５、５７間の寸法は、８〜３０ｍｍの範囲内が好ましく、さらには、１０〜２０ｍｍの範囲内であることがより好ましい。そして中間の切断誘導線５６は、両側の切断誘導線５５、５７の中間位置であって、両者から等しい距離の位置に設定されることが好適である。
【００２９】
またこのような開封構造は、この段ボール箱を組立てる段ボールの一方のライナー、両側のライナー、または段ボールシートの切断誘導線５５、５７の中間に切断誘導線５６を形成すればよい。ここで裏ライナー６２のみに切断誘導線を形成するだけでもよい。あるいはまた図４に示す段ボールシート３５を打抜く打抜き型の切断誘導線５５、５７を形成するカッター歯の間に、さらに切断誘導線５６を形成するカッター歯を追加するだけで対応することができ、特別な工程や設備を必要としない。すなわち従来と同コストでしかも開封の障害の防止の機能を達成することが可能になる。
【００３０】
以上本願考案を図示の実施の形態によって説明したが、本願考案は上記実施の形態によって限定されることなく、本願考案の技術的思想の範囲内において各種の変更が可能である。例えば上記実施の形態における切断誘導線５５、５６、５７による開封部位については、その段ボール箱の目的に応じた位置に任意に配置することができる。またこのような段ボール箱は、必ずしもビール缶のみならず、その他各種の飲料缶の充填のために広く利用される。
【産業上の利用可能性】
【００３１】
飲料缶を充填して物流に供するための段ボール箱として利用することが可能である。
【図面の簡単な説明】
【００３２】
【図１】従来の段ボール箱を組立てる段ボールシートの展開平面図である。
【図２】同従来の段ボール箱の外観斜視図である。
【図３】同段ボール箱の切断誘導線の配置を示す平面図である。
【図４】本実施の形態の段ボール箱を組立てる段ボールシートの展開平面図である。
【図５】同段ボールシートによって組立てられた段ボール箱の外観斜視図である。
【図６】開封された状態の段ボール箱の外観斜視図である。
【図７】段ボールシートの拡大断面図である。
【図８】段ボール箱の開封部位の切断誘導線の配置を示す平面図である。
【符号の説明】
【００３３】
１１  天板
１２  底板
１３、１４  側板
１５〜１８  蓋板
１９〜２２  フラップ
２３  接合片
２７、２８  切断誘導線
２９、３０  切込み
３２  切断線
３５  段ボールシート
３６  天板
３７  側板
３８  底板
３９  側板
４０  接合片
４１  折曲げ線
４４  折曲げ線
４５  蓋板（上）
４６  折曲げ線
４７  蓋板（下）
４８  折曲げ線
４９  フラップ
５０  折曲げ線
５１  フラップ
５５〜５７  切断誘導線（ミシン目）
５８  切込み
６１  表ライナー
６２  裏ライナー
６３  中芯
６６  切断線
【図１】
0003137593.tif 000003
【図２】
0003137593.tif 000004
【図３】
0003137593.tif 000005
【図４】
0003137593.tif 000006
【図５】
0003137593.tif 000007
【図６】
0003137593.tif 000008
【図７】
0003137593.tif 000009
【図８】
0003137593.tif 000010